(57)【要約】【課題】  面がフラットな床パネルを積み重ねた際、引き剥がすのに大きな力を要することを防止する。【解決手段】  上面と下面がフラットな二重床用床パネルの積重時における面同士が貼り付くのを防ぐ床パネルの貼付き防止構造において、床パネルの下面に小凹部又は小凸部を多数設ける。【選択図】  図３
2010095960.tif 000002
【特許請求の範囲】
【請求項１】
上面と下面がフラットな二重床用床パネルの積重時における面同士が貼り付くのを防ぐ床パネルの貼付き防止構造において、床パネルの下面に小凹部又は小凸部を多数設けたことを特徴とする床パネルの貼付き防止構造。
【請求項２】
床パネルが、芯材と、芯材の下面に接着固定される鋼板製の下面板とを有するものであり、小凹部又は小凸部が下面板に形成した上方への突起又は下方への突起からなる請求項１記載の床パネルの貼付き防止構造。
【請求項３】
床パネルは平面視正方形又は長方形であって、小凹部又は小凸部が床パネルの辺に沿って縦横に等間隔で配設された請求項１又は２記載の床パネルの貼付き防止構造。
【請求項４】
床パネルは平面視正方形又は長方形であって、小凹部又は小凸部が床パネルの対角線に沿って縦横に等間隔で配設された請求項１又は２記載の床パネルの貼付き防止構造。
【発明の詳細な説明】
【技術分野】
【０００１】
本発明は、表裏面がフラットな床パネルを積重ねた際、上下の床パネルが吸着して引き剥がし難くなるのを防ぐ二重床用床パネルの貼付き防止構造に関する。
【背景技術】
【０００２】
床パネルは、出荷する際に表向き又は裏向きで３０枚程度重ねて梱包する。通常、床パネルの上面は仕上げ材を貼るためフラット（滑面）に成形されているが、下面は補強のため大きな凹凸を設けてリブ構造にしている。一方で、芯材を上下面板で挟み込んだサンドイッチ構造のものもあるが、このタイプのものは、下面側もフラットに成形する（特許文献１）。このことによる長所は、芯材と上下面板とを接着剤で固着する場合に出現する。具体的には、接着剤の養生期間中に床パネル同士を積み重ねておくと、上下面の平面度を確保できるからである（反り等を防止できる）。反面、上下の床パネル同士が貼付く（吸着）現象が生じ、床パネルを引き剥がすのに大きな力を要していた。この原因は、床パネルの面間の空気が抜けて面間が負圧になるからではないかと推測される。
【０００３】
一般に、大規模ビル工事であれば、梱包状態のまま工事専用のリフト等で施工現場（以下「現場」という）まで荷揚げし、１）梱包を解いた床パネルを上から３〜４枚ずつ取って台車に積み替え、２）現場内の所定位置に必要枚数ずつ配ってから、３）敷設作業を行う。また、小規模ビル工事の場合は、１）梱包を解いた床パネルをトラックから降ろす際に台車に積み替えてエレベーターで荷揚げし、２）台車から降ろしながら一旦積み重ねた後、３）再度、台車上へ積み替えて、４）現場内の所定位置に必要枚数ずつ配ってから、５）敷設作業を行うようにする。したがって、大型ビル工事では少なくとも３回、小規模ビル工事では５回、積み重ねた床パネルを引き剥がす必要があり、作業性を低下させていた。さらに、貼り付いた床パネルを落下させる危険があった。この対策としては、上下の床パネルの間に吸着を防ぐスペーサやシートを挟むことも考えられるが、積替えの際に一々挟み直すのは手間であるし、廃棄物も増え、コストもアップする。
【特許文献１】特開平０１−２４７６５２号公報
【発明の開示】
【発明が解決しようとする課題】
【０００４】
本発明は、積み重ねた床パネルの引き剥がしの際の貼付き（吸着）を防ぎ、労力軽減と安全性確保及び荷役、敷設作業の能率化を期したものである。
【課題を解決するための手段】
【０００５】
以上の課題の下、本発明は、請求項１に記載した、上面と下面がフラットな二重床用床パネルの積重時における面同士が貼り付くのを防ぐ床パネルの貼付き防止構造において、床パネルの下面に小凹部又は小凸部を多数設けたことを特徴とする床パネルの貼付き防止構造を提供したものである。
【０００６】
そして、本発明は、以上の貼付き防止構造の具体例として、請求項に記載した、床パネルが、芯材と、芯材の下面に接着固定される鋼板製の下面板とを備え、小凹部又は小凸部が下面板に形成した上方への突起又は下方への突起からなる手段、請求項３に記載した、床パネルは平面視正方形又は長方形であって、小凹部又は小凸部が床パネルの辺に沿って縦横に等間隔で配設された手段、請求項４に記載した、床パネルは平面視正方形又は長方形であって、小凹部又は小凸部が床パネルの対角線に沿って縦横に等間隔で配設された手段を提供する。
【発明の効果】
【０００７】
請求項１の発明によると、積み重ねた床パネルの面間には微小な隙間が確保され、貼付きを回避できる。このため、引き剥がしに要する力も軽減され、安全性や作業性の向上が期待できる。
【発明を実施するための最良の形態】
【０００８】
以下、本発明の実施の形態を図面を参照して説明するが、図１は第一例の床パネルの斜視図、図２は底面図、図３は図２のＡ−Ａ断面図である。本例の床パネル１は、５００ｍｍ角のもので、パーティクルボード等の芯材４を１ｍｍ以下の薄い鋼板からなる上面板２と下面板３とで包み込んだものである。この場合、芯材４と下面板３とは接着剤で接着することから、その境界面に接着剤層５が形成されている。そして、芯材４から外れた下面板３の余部を芯材４の側壁に沿って折り曲げ、上面板２も同様にして下面板３と一部重合させ、これを外周壁６としている。なお、上面板２と下面板３の表面は滑面（フラット）になっている。
【０００９】
本発明は、以上の下面板３の表面に小凹部７を形成するのである。この小凹部７は、径が５ｍｍ程度以下で、深さは芯材４の中にやや食い込む２ｍｍ程度以下の文字どおり小さいものであり、芯材４を包んだ後にパンチ等で突くことで半球状又は錐体状に形成する。本例では、この小凹部７を下面板３の全域に均一に設けるため、辺に平行して縦横に１５．５ｍｍ間隔で合計８８８個を形成している。この小凹部７を形成することで、引き剥がしの力は小さくてすむ。その理由は、小凹部７の窪み内にもわずかではあるが、空気が残り、負圧による吸着が生じないからである。
【００１０】
この意味から、小凹部７の間隔は小さい（数は多い）方が効果は大きいものになる（確実になる）。図４は間隔の大きい第二例の床パネル１の底面図であるが、本例のものは、小凹部７を同じく下面板３の全面に均一に設けるため、辺に沿って２２．５ｍｍ間隔で合計４３７個形成したものである。この場合でも、引き剥がしの力は小さくなり、その程度は第一例のものとほぼ同じになることが確認されていることから、間隔はこの程度に設定すれば十分である。間隔を小さくすれば、小凹部７の数が増えて成形に大きな力が必要になる割には引き剥がしの力にあまり違いがないからである。なお、コーナー部は、支持脚（図示省略）で支えるが、それを考慮してその部分には小凹部７を形成しないようにしている。小凹部７は芯材４の中に食い込ませるから、これが不完全な場合、厚み方向に寸法誤差が生ずるから、それを避けたものである。
【００１１】
図５は第三例の床パネル１の底面図であるが、本例のものは、小凹部７を対角線に沿って２２．５ｍｍ間隔で合計４２０個形成したものである。小凹部７をこの方法で成形すると、辺方向には３１．８ｍｍ間隔となって第二例のものよりも間隔が広がり、第二例のものよりも引き剥がしの力が大きくなるが、相応の効果は期待できる。引き剥がしは辺の部分から始まることから、辺方向の間隔が狭いほど効果があるといえる。以上のような小凹部７は、接着剤層５と共に芯材４の中にやや食い込むことでアンカー効果が期待できる上に、小凹部７は下面板３の全域に均一に設けられていることによって効果的な補強効果が得られる。
【００１２】
図６は第四例の床パネル１の底面図、図７は図６のＢ−Ｂ断面図であるが、本例のものは、下面板３の表面に小凸部８を形成したものである。なお、小凸部８の大きさや間隔は第二例と同じである。この小凸部８は鋼板のそのものに下方に突出するようパンチ等で突くことになる。小凸部８を形成することで引き剥がしの力が軽くなるのは、小凸部８の先端が下の床パネル１の上面板２に当接し、小凸部８以外の部分に空気を滞留させて吸着が防がれるからであり、この点で、小凹部７よりも間隔は広くてもよい。
【００１３】
ただし、あまり数が少ないと、下の床パネル１の上面板２に大きな力をかけてこれを傷付ける虞があるから、小凹部７と同じ程度にするのが適する。小凸部８についても、接着剤層５が小凸部８の窪み内に食い込むことによるアンカー効果が期待できる上に、小凸部８も全域に均一に設けられていることによって効果的な補強効果が得られる。なお、床パネル１をコンクリートや窯業系の一体成形品とする場合は、小凸部８であると欠ける虞があるから、小凹部７にするのが望ましい。
【００１４】
このように、小凹部７か小凸部８かの選択、並びに大きさ、形状、配列、数等の設定については、引き剥がし力を考慮するのはもちろん、床パネル１として必要な各種性能が確保されるよう適宜に選択、選定することになる。
【００１５】
以下は、重量約７Ｋｇの上記した寸法の床パネル１を用いて各例のもの及び小凹部や小凸部を設けないものにおける一辺を持ち上げての引き剥がしに要する力を計測し、その平均値を記した表であるが、これを見ても、上記した説明のとおりになっていることが確認できる。
【００１６】
【表１】
2010095960.tif 000003
【図面の簡単な説明】
【００１７】
【図１】本発明の第一例を示す床パネルの斜視図である。
【図２】同じく底面図である。
【図３】図２のＡ−Ａ断面図である。
【図４】本発明の第二例を示す床パネルの底面図である。
【図５】本発明の第三例を示す床パネルの底面図である。
【図６】本発明の第四例を示す床パネルの底面図である。
【図７】図６のＢ−Ｂ断面図である。
【符号の説明】
【００１８】
１    床パネル
２    上面板
３    下面板
４    芯材
５    接着剤層
６    外周壁
７    小凹部
８    小凸部
【図１】
2010095960.tif 000004
【図２】
2010095960.tif 000005
【図３】
2010095960.tif 000006
【図４】
2010095960.tif 000007
【図５】
2010095960.tif 000008
【図６】
2010095960.tif 000009
【図７】
2010095960.tif 000010